(57)【要約】【課題】  支持杆への受け部材の着脱作業がワンタッチで簡単容易にかつ迅速に行え、コスト安価で部品管理の容易な吊掛具を得ること。【解決手段】  支持部材２に固定される支持杆１１と、支持杆１１に着脱自在に取り付けられる吊掛杆１２とを備えた吊掛具１の支持杆１１が断面円形状を呈する棒状部材からなる一方、吊掛杆１２が吊掛軸部１３と吊掛軸部１３の基部側に設けられる取付部１６とを備え、取付部１６には支持杆１１への差込用抱持孔１７が形成されていると共に、抱持孔１７はその奥部に支持扞１１を弾性的に抱持する円形状の抱持孔部１７ａと、抱持孔部１７ａから外側開放端に連続し支持杆１１の差込みを許す案内溝部１７ｂとを備えた。【選択図】図２
0003123047.tif 000002
【実用新案登録請求の範囲】
【請求項１】
支持部材に固定される支持杆と、支持杆に着脱自在に取り付けられる受け部材とを備えた架設受け具であって、支持杆が断面円形又は多角形或いは楕円等の形状を呈する棒状部材からなる一方、受け部材が受け部と受け部の基部側に設けられる取付部とを備え、取付部には支持杆への差込用抱持孔が形成されていると共に、抱持孔はその奥部に支持杆を弾性的に抱持する抱持孔部と、抱持孔部から外側開放端に連続し支持杆の差し込みを許す案内溝部とを備えていることを特徴とする架設受け具。
【請求項２】
抱持孔部と案内溝部との間に支持杆の抜け出しを抑える絞り部が形成されていることを特徴とする請求項１に記載の架設受け具。
【考案の詳細な説明】
【技術分野】
【０００１】  本考案は、支持部材に固定される支持杆と、支持杆に着脱自在に取り付けられる受け部材とを備えた架設受け具に関する。
【背景技術】
【０００２】  従来、この種の架設受け具、たとえば吊掛具にあっては、図１５及び図１６に示すように展示用壁材２Ａ又はスタンド式展示台などの支持部材に、断面円形の金属製丸棒材からなる支持杆２１を適宜固定状態により固定する一方、支持杆２１の任意の位置に複数の引掛片２２と取付部２３とを備えた吊掛杆２４をネジ止めにより着脱可能に取り付けるように構成している。その場合、吊掛杆２４の取付部２３には平面視Ｌ字状の支持杆差込用挿入溝２３ａと、差し込まれた支持杆２１に固定するための締付用ネジ２５とを有している。【０００３】  そして、例えば靴下等の商品を吊下状に展示するため、支持杆２１の所望の位置に吊掛杆２４を取り付ける際には、図１６に示すように吊掛杆２４の取付部２３における挿入溝２３ａの奥部に支持杆２１を差し込み、締付用ネジ２５で実施杆２１を挿入溝２３ａの奥部側に締め付けることにより吊掛杆２４を支持杆２１に固着するようになされている。また、吊掛杆２４が不要になり、支持杆２４から吊掛杆２４を取り外す際には、締付用ネジ２５を緩め、支持杆２１から吊掛杆２４の取付部２３を挿入溝２３ａを介して取り付けるようになされている。
【考案の開示】
【考案が解決しようとする課題】
【０００４】  ところが、上記した吊掛具によれば、ネジ締めによる固着であるから、支持杆２１に吊掛杆２４を取り付けたり取り外したりする場合、その都度締付用ネジ２５を締め付けて取り付けたり、或いはネジ２５を緩めて取り外したりする必要があり、その作業が非常に煩雑で手間を要し、また、デザイン的にも見苦しい問題があった。【０００５】  そこで、本考案は支持杆への受け部材の着脱作業がワンタッチで簡単容易にかつ迅速に行え、その上、部品点数を減らし、コスト安価で部品管理の容易な架設受け具の提供を課題とする。
【課題を解決するための手段】
【０００６】  上記した問題を解決するために、本願の請求項１に記載の考案は、支持部材に固定される支持杆と、支持杆に着脱自在に取り付けられる受け部材とを備えた架設受け具であって、支持杆が断面円形又は多角形或いは楕円等の形状を呈する棒状部材からなる一方、受け部材が受け部と受け部の基部側に設けられる取付部とを備え、取付部には支持杆への差込用抱持孔が形成されていると共に、抱持孔はその奥部に支持杆を弾性的に抱持する抱持孔部と、抱持孔部から外側開放端に連続し支持杆の差し込みを許す案内溝部とを備えていることを特徴とする。
なお、架設受け具とは、単に商品を吊り下げ支持する吊掛具や棚板を支持する棚受け具を含む概念である。【０００７】  また、請求項２に記載の考案は、請求項１に記載の構成において、抱持孔部と案内溝部との間に支持杆の抜け出しを抑える絞り部が形成されていることを特徴とする。
【考案の効果】
【０００８】  本考案によれば、例えば靴下等の商品を吊り下げ状に展示するため、支持杆の所望の位置に架設受け具、つまり吊掛具としての吊掛杆を取り付ける際には、支持杆の所望の位置に吊掛杆の差込用抱持孔を合わせて差し込み、その奥部にある円形状の抱持孔部に支持杆を嵌め込むだけの簡単な操作によって抱持孔部で支持杆を弾性的に抱持させることができる。これにより吊掛扞を支持杆にワンタッチ操作により簡単容易にかつ迅速に取り付けることができる。また、吊掛杆が不要となり、支持杆から吊掛杆を取り外す際には、吊掛杆の取付部を抱持孔部の弾性力に抗して支持杆から引き抜けばよいのであり、その取り外し作業も簡単容易にかつ迅速に行うことができる。【０００９】  また、抱持孔部と案内溝部との間に支持杆の抜け出しを抑える絞り部が形成されている構成とすれば、抱持孔に支持杆を弾性的にを差し込んで抱持するとき、絞り部により抱持孔からの支持杆の抜け出し及び抱持をより確実かつ強固に行えるので好ましい。
【考案を実施するための最良の形態】
【００１０】  以下、本考案の実施の形態を図に基づいて説明する。
図１は本考案の架設受け具として吊掛具１を展示用の壁材２に適用したものを示し、この吊掛具１は図１に示すように展示用壁材２に、固定ネジ３により固定される支持杆１１と、支持杆１１に着脱自在に取り付けられる吊掛杆（受け部材）１２とを備えている。なお、実施の形態では支持部材として展示用の壁材２に適用したものについて説明しているが、支持部材としては、何ら展示用の壁材２に限られるものではなく、例えばスタンド式展示台などに適用してもよいことは勿論である。【００１１】  そして、図１及び図２に示すように支持杆１１は断面円形状の金属製棒状部材からなり、また、吊掛杆１２は金属製で、複数の掛止片１３ａをもつ吊掛軸部（受け部）１３と、吊掛軸部１３を上部に支持する縦軸部１４と、縦軸部１４の下部に横軸部１５を介して連結される取付部１６とを備えている。取付部１６には、図２に示すように平面から見たとき平面Ｕ字状を呈する支持杆１１への差込用抱持孔１７が形成されている。この抱持孔１７はその奥部に支持杆１１を弾性的に抱持する支持杆１１の直径Ｄよりもやや小径の円形状の抱持孔部１７ａと、抱持孔部１７ａから外側開放端に連続して支持杆１１の抱持孔部１７ａへの差込を許す案内溝部１７ｂを備えている。また、案内溝部１７ｂは支持孔部１７ａから外側開放端側に向って次第に幅広となっていると共に、抱持孔部１７ａと案内溝部１７ｂとの間には支持杆１１の直径Ｄよりも小さい開口幅となる絞り部１７ｃ，１７ｃが形成されている。このように、絞り部１７ｃ，１７ｃを形成することで、抱持孔部１７ａの絞り部１７ｃ，１７ｃ間の寸法を支持杆１１の直径Ｄよりも小さくすることで、取付部１６における抱持孔部１７ａの支持杆１１への差し込みにより、抱持孔部１７ａの絞り部１７ｃ，１７ｃを押し広げ、その拡開に伴う反力により取付部１６、つまり吊掛杆１２を支持扞１１に固着するように構成している。【００１２】  次に、以上のように構成される吊掛具１の作用を説明する。
例えば靴下等の商品（図示せず）を樹脂製の簡易フックを介して吊り下げ状に展示するため、支持杆１１の任意の位置に吊掛杆１２を取り付ける際には、まず、図３の仮想線で示すように支持杆１１に吊掛杆１２の取付部１６における案内溝部１７ｂを介して吊掛杆１２を抱持孔部１７ａ側に差し込む。そして、図３の実線で示すように、絞り部１７ｃ，１７ｃを外側に拡開しながら支持杆１１を抱持孔部１７ａ内に嵌め込む。これにより、抱持孔部１７ａの拡開に伴う反力により取付部１６が、つまり吊掛杆１２が支持杆１１に弾性的に抱持状態で固着されることになる。【００１３】  また、吊掛杆１２が不要となり、支持杆１１から吊掛杆１２を取り外す際には、吊掛杆１２の取付部１６を抱持孔部１７ａの弾性力に抗して支持杆１１から引き抜けばよいのであり、その取り外し作業が簡単容易にかつ迅速に行うことができる。【００１４】  以上のように、支持杆１１の所望の位置に吊掛杆１２の差込用抱持孔１７を差し込んで、その奥部にある円形状の抱持孔部１７ａに支持杆１１を弾性的に抱持させるだけのワンタッチ操作により、吊掛杆１２を支持杆１１に簡単迅速に取り付けることができる。また、支持杆１１から吊掛杆１２を取り外す際にも、吊掛杆１２を支持杆１１から引き抜くだけのワンタッチ操作で筋単容易にかつ迅速に取り外すことができる。その上、従来のように締め付けネジを必要としないので、部品点数を減らし、コスト安価で部品管理が容易にできる。【００１５】  また、抱持孔部１７ａと案内溝部１７ｂとの間に支持杆１１の直径Ｄよりも小さい絞り部１７ｃを形成すると共に、案内溝部１７ｂを絞り部１７ｃから外側開放端側に向って次第に幅広となる構成とすれば、案内溝部１７ｂにより吊掛杆１２の支持杆１１への差し込み及びその誘導がスムーズに行えると共に、抱持孔部１７ａを支持杆１１に弾性的に差し込んで抱持したとき、絞り部１７ｃにより抱持孔部１７ａによる支持杆１１の抱持が節度よく確実に行えるので好ましい。【００１６】  なお、上記した実施の形態では取付部１６を横軸部１５の後端部に特別に設けたけれども、この他、例えば図４に示すように横軸部１５の後端部自体を取付部としてもよいし、また、差込用抱持孔部１７の形成位置は、取付部１６の後面側に限定されるものではなく、例えば図５に示すように側面側など適宜箇所に設けてもよいことは勿論である。【００１７】  図６〜図８は、支持杆１１の別の実施の形態を示すもので、上述した実施の形態のようにで断面円形状の金属製棒状部材からなるものを用いる他、例えば図６や図７に示すように断面三角形又は断面四角形などの断面多角形状のものや、図８に示す断面楕円形状のものなどの金属製棒状部材を支持扞１１Ａ，１１Ｂ，１１Ｃとして用いてもよい。【００１８】  その場合、図９〜図１１に示すように各支持杆１１Ａ，１１Ｂ，１１Ｃの形状に合わせて、吊掛杆１２の取付部１６における差込用抱持孔１７の形状を変更する。つまり、図９に示すように断面三角形の支持杆１１Ａについては、上記差込用抱持孔１７の形状を三角形状の抱持孔１７ａと案内溝部１７ｂと絞り部１７ｃ，１７ｃを有する形状とするのであり、また、図１０に示すように断面四角形の支持杆１１Ｂについては、上記差込用抱持孔１７の形状を四角形状の抱持孔１７ａと案内溝部１７ｂと絞り部１７ｃ，１７ｃを有する形状とするのであり、さらに、図１１に示すように断面楕円形の支持杆１１Ｃについては、上記差込用抱持孔１７の形状を楕円形状の抱持孔１７ａと案内溝部１７ｂと絞り部１７ｃ，１７ｃを有する形状とする。また、各差込用抱持孔１７における案内溝部１７ｂの幅は、各支持杆１１Ａ，１１Ｂ，１１Ｃの幅と同寸法或いは少し幅狭に形成する。【００１９】  このように構成した場合にも、上記した断面円形状の金属製棒状部材からなる支持杆１１の場合と同様に支持杆１１Ａ，１１Ｂ，１１Ｃへの吊掛杆１２の取付部への着脱作業が、支持杆１１の所望の位置に吊掛杆１２の差込用抱持孔１７を差し込んで、その奥部にある抱持孔部１７ａに支持杆１１を弾性的に抱持させるだけのワンタッチ操作により、吊掛杆１２を支持杆１１に簡単迅速に取り付けることができ、また、支持杆１１から吊掛杆１２を取り外す際にも、吊掛杆１２を支持杆１１から引き抜くだけのワンタッチ操作で簡単容易にかつ迅速に取り外すことができる。【００２０】  一方、差込用抱持孔１７における抱持孔１７の形状は、支持杆の断面形状に合わせる他、図１２に示すように支持杆の断面形状によっては断面円形状であってもよい。つまり、断面４角形状とした支持杆１１Ａの場合、その対角線の長さ寸法Ｌを断面円形状の抱持孔部１７ａの直径Ｄ１よりもやや長く設定する。これにより、支持杆１１Ａへの取付部１６の差し込み時には、支持杆１１Ａの最小幅部分１を利用して取付部１６の抱持孔部１７ａを支持杆１１Ａに差し込み、その後、図１３に示すように取付部１６を、支持杆１１の最大対角線部分Ｌが抱持孔部１７ａの中心部を通り開口方向と直交する位置となるように回転させることにより、支持杆１１Ａの最大対角線部分Ｌが抱持孔部１７ａを突っ張り状に押し広げ、その拡開に伴う反力により取付部１６が支持杆１１に固着することができる。【００２１】  このように構成した場合にも、上記した断面円形状の金属製棒状部材からなる支持杆１１の場合と同様に支持杆１１Ａへの吊掛杆１２の着脱作業がワンタッチで簡単容易にかつ迅速に行え、コスト安価で部品管理も容易に行える作用効果が得られる。【００２２】  また、以上の実施の形態では、支持杆１１及び吊掛杆１２の素材として金属製のものを用いた場合について説明したけれども、何ら金属製のものに限定されるものではなく、例えばプラスチックや木材など他の素材のものを用いてもよいことは勿論である。また、吊掛杆１２としては、複数の掛止片１３ａをもつ吊掛軸部１３と、吊掛軸部１３を上部に支持する縦軸部１４と、縦軸部１４の下部に横軸部１５を介して連結される取付部１６とで構成したけれども、斯かる構造に限定されるものではなく、例えば図１４又は図１５に示すように単に水平状の吊掛軸部１３の一端に直接取付部１６を設けるだけのシンプルな構造であってもよい。さらに、吊掛軸部１３に設ける掛止片１３ａは、吊り下げる商品に応じて適宜形状の突起や凹凸部を必要な数だけ設けるようにすればよいし、また、例えばマフラーやスカーフ等を吊り掛ける場合には吊掛軸部１３に掛止片１２ａや凹凸部を特に設けなくて���よい。【００２３】  また、以上の実施の形態では、本考案を吊掛具１に適用した場合について説明したけれども、図１５の仮想線で示すように支持杆１１，１１に取り付けた隣り合う吊掛杆１２，１２を棚受け専用の棚受け杆（受け部材）とすれば、棚板Ｔを受ける棚受け具（架設受け具）にも上述した吊掛具の場合と同様に本考案を適用することができる。この場合にも支持杆への棚受け杆の着脱作業がワンタッチで簡単容易にかつ迅速に行え、コスト安価で部品管理の容易な棚受け具を得ることができる。
【図面の簡単な説明】
【００２４】
【図１】  本考案に係る吊掛具の使用状態を示す側面図である。
【図２】  支持杆と吊掛杆の平面図である。
【図３】  吊掛杆の支持杆への差し込み状態の説明図である。
【図４】  取付部の別の実施の形態を示す説明図である。
【図５】  取付部における差込用抱持孔の取付位置の別の実施の形態を示す説明図である。
【図６】  支持杆の別の実施の形態を示す縦断面図である。
【図７】  同じく支持杆の別の実施の形態を示す縦断面図である。
【図８】  同じく支持杆のさらに別の実施の形態を示す縦断面図である。
【図９】  取付部の別の実施の形態を示す縦断面図である。
【図１０】  同じく取付部の別の実施の形態を示す縦断面図である。
【図１１】  同じく取付部のさらに別の実施の形態を示す縦断面図である。
【図１２】  吊掛杆の支持杆への取付途中状態を示す説明図である。
【図１３】  同吊掛杆の支持扞への固着状態を示す説明図である。
【図１４】  取付部の別の実施の形態を示す説明図である。
【図１５】  同取付部のさらに別の実施の形態を示す説明図である。
【図１６】  従来の説明図である。
【図１７】  図１６のイ−イ線矢視図である。
【符号の説明】
【００２５】１          吊掛具（架設受け具）
２          支持部材
１１        支持扞
１２        吊掛杆（受け部材）
１３        吊掛軸部（受け部）
１６        取付部
１７        差込用抱持孔
１７ａ      抱持孔部
１７ｂ      案内溝
１７ｃ      絞り部
【図１】
0003123047.tif 000003
【図２】
0003123047.tif 000004
【図３】
0003123047.tif 000005
【図４】
0003123047.tif 000006
【図５】
0003123047.tif 000007
【図６】
0003123047.tif 000008
【図７】
0003123047.tif 000009
【図８】
0003123047.tif 000010
【図９】
0003123047.tif 000011
【図１０】
0003123047.tif 000012
【図１１】
0003123047.tif 000013
【図１２】
0003123047.tif 000014
【図１３】
0003123047.tif 000015
【図１４】
0003123047.tif 000016
【図１５】
0003123047.tif 000017
【図１６】
0003123047.tif 000018
【図１７】
0003123047.tif 000019